(57)【要約】【課題】３台以上の端末間で通話を容易に実現する。【解決手段】複数通話提供装置は、通話元端末から通話リクエストを入力すると、複数通話サービスの利用者として予め登録されている登録ユーザの識別情報を含む登録ユーザデータを読み出し、通話リクエストに含まれるユーザの識別情報が、登録ユーザの識別情報と一致するか否かを判定する判定手段１１１と、判定手段で通話リクエストに含まれるユーザの識別情報が、登録ユーザの識別情報と一致すると判定されると、登録ユーザの識別情報と登録ユーザの通話先端末の電話番号である複数の通話先番号とが関連付けられる通話者リストデータを読み出し、登録ユーザの識別情報と関連付けられる複数の通話先番号を通話者リストデータから抽出する抽出手段１１２と、抽出手段が抽出した通話先番号で特定される複数の通話先端末に発信し、通話先端末から応答があると、通話元端末に接続する発信手段１１３とを備える。【選択図】  図１
2010283769.tif 000002
【特許請求の範囲】
【請求項１】
複数の端末と、前記複数の端末間での複数通話を中継する複数通話提供装置とが接続される複数端末通話システムであって、
前記複数通話提供装置は、
通話元端末から通話リクエストを入力すると、登録ユーザデータ記憶部から複数通話サービスの利用者として予め登録されている登録ユーザの識別情報を含む登録ユーザデータを読み出し、前記通話リクエストに含まれるユーザの識別情報が、登録ユーザの識別情報と一致するか否かを判定する判定手段と、
前記判定手段で前記通話リクエストに含まれるユーザの識別情報が、登録ユーザの識別情報と一致すると判定されると、通話者リスト記憶部から登録ユーザの識別情報と登録ユーザの通話先端末の電話番号である複数の通話先番号とが関連付けられる通話者リストデータを読み出し、前記登録ユーザの識別情報と関連付けられる複数の通話先番号を前記通話者リストデータから抽出する抽出手段と、
前記抽出手段が抽出した通話先番号で特定される複数の通話先端末に発信し、前記通話先端末から応答があると、前記通話元端末に接続する発信手段と、
を備えることを特徴とする複数端末通話システム。
【請求項２】
通話元端末から通話リクエストを入力すると、登録ユーザデータ記憶部から複数通話サービスの利用者として予め登録されている登録ユーザの識別情報を含む登録ユーザデータを読み出し、前記通話リクエストに含まれるユーザの識別情報が、登録ユーザの識別情報と一致するか否かを判定する判定手段と、
前記判定手段で前記通話リクエストに含まれるユーザの識別情報が、登録ユーザの識別情報と一致すると判定されると、通話者リスト記憶部から登録ユーザの識別情報と登録ユーザの通話先端末の電話番号である複数の通話先番号とが関連付けられる通話者リストデータを読み出し、前記登録ユーザの識別情報と関連付けられる複数の通話先番号を前記通話者リストデータから抽出する抽出手段と、
前記抽出手段が抽出した通話先番号で特定される複数の通話先端末に発信し、前記通話先端末から応答があると、前記通話元端末に接続する発信手段と、
を備えることを特徴とする複数通話提供装置。
【請求項３】
前記登録ユーザデータでは、登録ユーザの識別情報として登録ユーザの使用する端末の電話番号を登録電話番号として関連付け、
前記判定手段は、通話リクエストに含まれる電話番号が、前記登録ユーザデータに含まれる登録電話番号と一致するか否かを判定することを特徴とする請求項２に記載の複数通話提供装置。
【請求項４】
前記登録ユーザデータでは、登録ユーザの識別情報として登録ユーザに付与された登録者ＩＤと及びパスワードを含み、
前記判定手段は、通話リクエストに含まれる登録者ＩＤ及びパスワードを入力すると、入力した登録者ＩＤ及びパスワードが前記登録ユーザデータに含まれているかを判定することを特徴とする請求項３に記載の複数通話提供装置。
【請求項５】
登録ユーザの端末から新たな通話先番号を登録するリクエストを入力すると、前記リクエストに含まれる登録ユーザの識別情報と新たな通話先番号とを関連付けて前記通話者リストデータに追加する登録手段を有することを特徴とする請求項２に記載の複数通話提供装置。
【請求項６】
前記通話者リストデータでは、登録ユーザの識別情報及び通話先番号に加え、通話先グループのグループ番号を関連付け、
前記登録手段は、新たな通話先番号を追加する際、新たなグループ番号を付与することを特徴とする請求項５に記載の複数通話提供装置。
【請求項７】
前記抽出手段は、通話先番号を抽出する際、リクエストを送信した登録ユーザの識別情報及びリクエストが含むグループ番号と関連付けられる通話先番号を抽出することを特徴とする請求項６に記載の複数通話提供装置。
【請求項８】
複数の端末と、前記複数の端末間での複数通話を中継する複数通話提供装置とが接続される複数端末通話システムで利用される複数端末通話方法あって、
通話元端末において、前記複数通話提供装置に通話リクエストを送信するステップと、
前記複数通話提供装置において、前記通話元端末から通話リクエストを入力すると、登録ユーザデータ記憶部から複数通話サービスの利用者として予め登録されている登録ユーザの識別情報を含む登録ユーザデータを読み出すステップと、
前記複数通話提供装置において、前記通話リクエストに含まれるユーザの識別情報が、登録ユーザの識別情報と一致するか否かを判定するステップと、
前記複数通話提供装置において、前記通話リクエストに含まれるユーザの識別情報が、登録ユーザの識別情報と一致すると判定されると、通話者リスト記憶部から登録ユーザの識別情報と登録ユーザの通話先端末の電話番号である複数の通話先番号とが関連付けられる通話者リストデータを読み出すステップと、
前記複数通話提供装置において、前記登録ユーザの識別情報と関連付けられる複数の通話先番号を前記通話者リストデータから抽出するステップと、
前記複数通話提供装置において、前記抽出手段が抽出した通話先番号で特定される複数の通話先端末に発信するステップと、
前記複数通話提供装置において、発信した複数の通話先端末から応答を受信すると、前記複数の通話元端末に接続するステップと、
を備えることを特徴とする複数端末通話方法。
【請求項９】
通話元端末から通話リクエストを入力すると、登録ユーザデータ記憶部から複数通話サービスの利用者として予め登録されている登録ユーザの識別情報を含む登録ユーザデータを読み出すステップと、
前記通話リクエストに含まれるユーザの識別情報が、登録ユーザの識別情報と一致するか否かを判定するステップと、
前記通話リクエストに含まれるユーザの識別情報が、登録ユーザの識別情報と一致すると判定されると、通話者リスト記憶部から登録ユーザの識別情報と登録ユーザの通話先端末の電話番号である複数の通話先番号とが関連付けられる通話者リストデータを読み出すステップと、
前記登録ユーザの識別情報と関連付けられる通話先番号を前記通話者リストデータから抽出するステップと、
前記通話者リストデータから抽出した通話先番号で特定される複数の通話先端末に発信するステップと、
発信した複数の通話先端末から応答を受信すると、前記複数の通話元端末に接続するステップと、
をコンピュータに実行させることを特徴とする複数端末通話プログラム。
【発明の詳細な説明】
【技術分野】
【０００１】
本発明は、３台以上の端末間の通話を可能とする複数端末通話システム、複数通話提供装置、複数端末通話方法及び複数端末通話プログラムに関する。
【背景技術】
【０００２】
従来から、３台の電話端末で同時に通話を可能な三者通話システムがある（例えば、特許文献１参照）。
【０００３】
従来の三者通話システムでは、例えば、第１のユーザは、第１の端末（通話元）から、三者通話を希望する第２のユーザが使用する第２の端末（通話先）に発信する。第１の端末と第２の端末間で通信が確立すると、第１のユーザは、第１の端末と第２の端末間の通信を保留にし、三者通話を希望する第３のユーザが使用する第３の端末（通話先）に発信する。第１の端末と第３の端末間で通信が確立後、第１のユーザは、第１の端末と第２の端末間の通信の保留を解除することで、第１乃至第３の端末間で通信が確立し、三者通話が可能となる。
【先行技術文献】
【特許文献】
【０００４】
【特許文献１】特開平８−２８９０２０号公報
【発明の概要】
【発明が解決しようとする課題】
【０００５】
上述したように、従来の三者通話システムでは、第１の端末と第２の端末とで通信が確立中にこの通信を保留にし、その後に第３の端末に発信が必要になり、三者通話を実現するために複雑な手順が必要である問題があった。
【０００６】
したがって本発明は、容易に３台以上の端末間で通話を可能とする複数端末通話システム、複数通話提供装置、複数端末通話方法及び複数端末通話プログラムを提供する。
【課題を解決するための手段】
【０００７】
本発明に係る複数端末通話システムは、複数の端末と、複数の端末間での複数通話を中継する複数通話提供装置とが接続される複数端末通話システムであって、複数通話提供装置は、通話元端末から通話リクエストを入力すると、登録ユーザデータ記憶部から複数通話サービスの利用者として予め登録されている登録ユーザの識別情報を含む登録ユーザデータを読み出し、通話リクエストに含まれるユーザの識別情報が、登録ユーザの識別情報と一致するか否かを判定する判定手段と、判定手段で通話リクエストに含まれるユーザの識別情報が、登録ユーザの識別情報と一致すると判定されると、通話者リスト記憶部から登録ユーザの識別情報と登録ユーザの通話先端末の電話番号である複数の通話先番号とが関連付けられる通話者リストデータを読み出し、登録ユーザの識別情報と関連付けられる複数の通話先番号を通話者リストデータから抽出する抽出手段と、抽出手段が抽出した通話先番号で特定される複数の通話先端末に発信し、通話先端末から応答があると、通話元端末に接続する発信手段とを備える。
【０００８】
本発明に係る複数通話提供装置は、通話元端末から通話リクエストを入力すると、登録ユーザデータ記憶部から複数通話サービスの利用者として予め登録されている登録ユーザの識別情報を含む登録ユーザデータを読み出し、通話リクエストに含まれるユーザの識別情報が、登録ユーザの識別情報と一致するか否かを判定する判定手段と、判定手段で通話リクエストに含まれるユーザの識別情報が、登録ユーザの識別情報と一致すると判定されると、通話者リスト記憶部から登録ユーザの識別情報と登録ユーザの通話先端末の電話番号である複数の通話先番号とが関連付けられる通話者リストデータを読み出し、登録ユーザの識別情報と関連付けられる複数の通話先番号を通話者リストデータから抽出する抽出手段と、抽出手段が抽出した通話先番号で特定される複数の通話先端末に発信し、通話先端末から応答があると、通話元端末に接続する発信手段とを備える。
【０００９】
本発明に係る複数端末通話方法は、複数の端末と、複数の端末間での複数通話を中継する複数通話提供装置とが接続される複数端末通話システムで利用される複数端末通話方法あって、通話元端末において、複数通話提供装置に通話リクエストを送信するステップと、複数通話提供装置において、通話元端末から通話リクエストを入力すると、登録ユーザデータ記憶部から複数通話サービスの利用者として予め登録されている登録ユーザの識別情報を含む登録ユーザデータを読み出すステップと、複数通話提供装置において、通話リクエストに含まれるユーザの識別情報が、登録ユーザの識別情報と一致するか否かを判定するステップと、複数通話提供装置において、通話リクエストに含まれるユーザの識別情報が、登録ユーザの識別情報と一致すると判定されると、通話者リスト記憶部から登録ユーザの識別情報と登録ユーザの通話先端末の電話番号である複数の通話先番号とが関連付けられる通話者リストデータを読み出すステップと、複数通話提供装置において、登録ユーザの識別情報と関連付けられる複数の通話先番号を通話者リストデータから抽出するステップと、複数通話提供装置において、抽出手段が抽出した通話先番号で特定される複数の通話先端末に発信するステップと、複数通話提供装置において、発信した複数の通話先端末から応答を受信すると、複数の通話元端末に接続するステップとを備える。
【００１０】
本発明に係る複数端末通話プログラムは、通話元端末から通話リクエストを入力すると、登録ユーザデータ記憶部から複数通話サービスの利用者として予め登録されている登録ユーザの識別情報を含む登録ユーザデータを読み出すステップと、通話リクエストに含まれるユーザの識別情報が、登録ユーザの識別情報と一致するか否かを判定するステップと、通話リクエストに含まれるユーザの識別情報が、登録ユーザの識別情報と一致すると判定されると、通話者リスト記憶部から登録ユーザの識別情報と登録ユーザの通話先端末の電話番号である複数の通話先番号とが関連付けられる通話者リストデータを読み出すステップと、登録ユーザの識別情報と関連付けられる通話先番号を通話者リストデータから抽出するステップと、通話者リストデータから抽出した通話先番号で特定される複数の通話先端末に発信するステップと、発信した複数の通話先端末から応答を受信すると、複数の通話元端末に接続するステップとをコンピュータに実行させる。
【発明の効果】
【００１１】
本発明によれば、３台以上の端末間での通話を容易に実現することができる。
【図面の簡単な説明】
【００１２】
【図１】本発明の最良の実施形態に係る複数端末通話システムを説明する概略図である。
【図２】図１に示す複数通話提供装置で利用される登録ユーザデータの一例である。
【図３】図１に示す複数通話提供装置で利用される通話者リストデータの一例である。
【図４】図１に示す複数通話提供装置における処理を説明するフローチャートである。
【図５】図１に示す複数通話提供装置における通話処理を説明するフローチャートである。
【図６】図１に示す複数通話提供装置における登録処理を説明するフローチャートである。
【発明を実施するための形態】
【００１３】
以下に、図面を用いて本発明の最良の実施形態に係る複数端末通話システムについて説明する。図１に示すように、本発明の最良の実施形態に係る複数端末通話システム１では、複数通話提供装置１０と複数の端末２１〜２３とがネットワーク３を介して接続されている。
【００１４】
複数通話提供装置１０は、中央処理制御装置（ＣＰＵ）１１、記憶装置１２及び通信インタフェース（通信Ｉ／Ｆ）１３等を備える情報処理装置である。複数通話提供装置１０では、記憶装置１２に記憶される複数端末通話プログラムＰが読み出されて実現されることで、図１に示すように、ＣＰＵ１１に判定手段１１１、抽出手段１１２、発信手段１１３及び登録手段１１４が実装される。また、記憶装置１２には、複数端末通話プログラムＰとともに、登録ユーザデータＤ１、通話者リストデータＤ２及び音声データＤ３が記憶されている。具体的には、複数通話提供装置１０としては、端末間の通話を実現させるＳＩＰサーバ等を利用することができる。
【００１５】
端末２１〜２３は固定電話機、携帯電話機等の通話を行なう端末であり、ネットワーク３を介して端末２１〜２３間の通信が確立すると、端末２１〜２３を有するユーザ間で通話が可能となる。通常、電話機を利用する通話は、二者間で行なわれるが、予め登録された登録ユーザが複数通話提供装置１０を利用して他の端末に通話を要求すると、３台以上の端末を利用しての複数通話が可能となる。以下では、端末２１が発信元となり、端末２２，２３が発信先となる例で説明する。
【００１６】
複数端末通話システム１と端末２１〜２３とを接続するネットワーク３は、公衆電話網やＩＰネットワーク等、端末間の通話に利用するネットワークである。
【００１７】
続いて、図１に示す複数通話提供装置１０の構成について具体的に説明する。
【００１８】
記憶装置１２に記憶される登録ユーザデータＤ１は、図２に示す一例のように、ユーザが登録している「登録電話番号」、ユーザの氏名である「登録者氏名」、ユーザに付与された「登録者ＩＤ」、ユーザが使用する「パスワード」等が関連付けられたデータである。図２に示す例では、登録者は、複数の電話番号（「登録電話番号１」及び「登録電話番号２」）を登録することができる。したがって、ユーザは、例えば、自宅の固定電話機の電話番号に加え、携帯電話機やＰＨＳ等の電話番号も登録することができる。
【００１９】
通話者リストデータＤ２は、図３に示す一例のように、ユーザを識別する「識別情報」、複数通話に付与された「グループ番号」、グループ番号で特定されるグループに登録されている通話先の電話番号である「通話先番号」等が関連付けられたデータである。図２に示す例では、ユーザの「識別情報」として「登録者ＩＤ」を利用しているが、ユーザを特定することができる情報であれば、「登録電話番号」や「登録者氏名」を利用してもよい。また、ユーザは、複数のグループを登録しておくことが可能であり、図２に示す例では、登録者ＩＤ「１００１」のユーザは１つのグループしか登録していないが、登録者ＩＤ「１００２」のユーザは３つのグループを登録している。
【００２０】
なお、図２では、２つの通話先番号（「通話先番号１」及び「通話先番号２」）が登録され、三者通話を可能とする例を示しているが、通話者リストデータＤ２で記憶される通話先番号の数は限定されず、例えば、３つの通話先番号を登録している場合には、四者通話が可能となる
音声データＤ３は、ユーザの認証に使用する認証用の音声データ、ユーザに通話先の電番号の入力を誘導する音声データ等、ユーザに端末２１を介した種々の操作を誘導する音声データを含んでいる。
【００２１】
判定手段１１１は、複数通話提供装置１０に端末２１を介してユーザからのアクセスがあると、記憶装置１２が記憶している登録ユーザデータＤ１を参照し、アクセス中のユーザが予め登録されている登録ユーザであるか否かを判定する。
【００２２】
具体的には、判定手段１１１は、通信Ｉ／Ｆ１３を介して端末２１から送信された通信を要求するリクエストを受信すると、記憶装置１２から登録ユーザデータＤ１を読み出し、リクエストに含まれる端末２１の電話番号が、登録ユーザデータＤ１に含まれる登録電話番号と一致するか否かを判定してユーザ認証を行なう。
【００２３】
リクエストに含まれる電話番号と登録電話番号が一致せずにユーザ認証ができないとき、判定手段１１１は、音声データＤ３を使用してユーザ認証を行なう。具体的には、判定手段１１１は、記憶装置１２に記憶されている音声データＤ３からユーザに登録者ＩＤとパスワードを入力させる認証用の音声データを読み出し、通信Ｉ／Ｆ１３を介して端末２１に認証用の音声データを送信する。音声データを送信後、通信Ｉ／Ｆ１３を介して端末２１から送信された登録者ＩＤ及びパスワードを受信すると、受信した登録者ＩＤ及びパスワードが、登録ユーザデータに含まれる登録者ＩＤ及びパスワードと一致するか否かを判定する。
【００２４】
すなわち、登録ユーザは、予め登録している登録電話番号の端末を使用して複数通話を行なう場合には、登録者ＩＤやパスワードの入力は不要であるが、公衆電話機や他人の電話機等、登録していない端末を使用して複数通話を行なう場合には、登録者ＩＤやパスワードの入力が必要になる。
【００２５】
抽出手段１１２は、ユーザの認証が終了後、ユーザから予め登録してある通話先に通話を要求するリクエストを受信すると、記憶装置１２が記憶している通話者リストデータＤ２を参照し、該当する電話番号を抽出する。
【００２６】
抽出手段１１２は、具体的には、判定手段１１１において認証が終了後、記憶装置１２に記憶される音声データＤ３から通話先の端末２２，２３の電話番号の決定方法を選択させる音声データを読み出し、通信Ｉ／Ｆ１３を介して端末２１に電話番号の決定方法を選択させる音声データを送信する。
【００２７】
音声データに応答して、予め登録されているグループに含まれる通話先との通話を要求するリクエストを受信すると、抽出手段１１２は、音声データＤ３から登録されているグループを選択させる音声データを読み出し、再び端末２１に送信する。その後、抽出手段１１２は、端末２１から応答があると、通信をリクエスト中のユーザの「登録者ＩＤ」及び選択された「グループ番号」と関連付けられる「通話先番号」を読み出し、発信手段１１３に出力する。
【００２８】
一方、予め登録されているグループではなく、これから新たに入力する電話番号を通話先に通話を要求するリクエストを受信すると、抽出手段１１２は、音声データＤ３から電話番号の入力させる音声データを読み出し、端末２１に送信する。その後、抽出手段１１２は、端末２１から応答として通話を要求する端末２２，２３の電話番号を受信すると、入力した電話番号を発信手段１１３に出力する。
【００２９】
発信手段１１３は、抽出手段１１２からユーザに通話がリクエストされた端末２２，２３の電話番号を入力すると、入力した端末２２，２３の電話番号に発信する。また、発信先の端末２２，２３から応答を受信すると、端末２１〜２３間での通話を確立させる。
【００３０】
登録手段１１４は、ユーザから新たな通話先番号の登録を要求するリクエストを受信すると、記憶装置１２が記憶している通話者リストデータＤ２に新たな通話先番号を追加する。
【００３１】
具体的には、登録手段１１４は、新たな通話先番号の登録を要求するリクエストを受信すると、記憶装置１２に記憶されている音声データＤ３から新たな通話先番号の登録用の音声データを抽出し、通信Ｉ／Ｆ１３を介して端末２１に送信する。音声データに応答して、新たに登録する通話先番号を受信すると、登録手段１１４は、ユーザの登録者ＩＤに受信した通話先番号を関連付けるとともに、グループ番号を付して通話者リストデータＤ２に追加する。
【００３２】
なお、図１に示す例では、複数通話提供装置１０は、１台の装置として示しているが、複数の装置によって構成されていても良い。例えば、各データＤ１〜Ｄ３を記憶する記憶装置の一部又は全部が独立に存在していても良く、各手段１１１〜１１４の一部又は全部が独立に存在していても良い。
【００３３】
続いて、図４乃至図６に示すフローチャートを用いて、複数端末通話システム１における処理の流れを説明する。
【００３４】
まず、図４に示すように、複数通話提供装置１０の判定手段１１１は、端末２１から何らかの処理を要求するリクエストを受信すると（Ｓ１）、当該リクエストに含まれる端末２１の電話番号が、登録ユーザデータＤ１に含まれる登録電話番号と一致するか否かを判定する（Ｓ２）。
【００３５】
ステップＳ１で受信したリクエストに含まれる電話番号と、登録ユーザ番号とが一致しないとき（Ｓ２でＮＯ）、判定手段１１１は、音声データＤ３から登録者ＩＤ及びパスワードの送信を要求する音声データを読み出して端末２１に送信し、登録者ＩＤ及びパスワードの入力を要求する（Ｓ３）。判定手段１１１は、端末２１から登録者ＩＤ及びパスワードを受信すると、受信した登録者ＩＤ及びパスワードが登録ユーザデータＤ１に登録されている登録者ＩＤ及びパスワードと一致するか否かを判定する（Ｓ４）。
【００３６】
ステップＳ２において、電話番号が一致した場合（Ｓ２でＹＥＳ）又は、ステップＳ４において、登録者ＩＤ及びパスワードが一致した場合（Ｓ４でＹＥＳ）、判定手段１１１は、ステップＳ１で受信したリクエストが通話を要求するリクエストであるか否かを判定する（Ｓ５）。
【００３７】
ステップＳ１で受信したリクエストが通話を要求するリクエストであるとき（Ｓ５でＹＥＳ）、抽出手段１１２に、端末２１から通話のリクエストを受信した通知を出力し、通話処理に移行する（Ｓ６）。
【００３８】
また、ステップＳ１で通話を要求するリクエストでないと判定されると（Ｓ５でＮＯ）、受信したリクエストは、新たな通話先番号の登録を要求するリクエストであるため、登録手段１１４に、端末２１から新たな通話先番号の登録を要求するリクエストを受信した通知を出力し、登録処理に移行する（Ｓ７）。
【００３９】
なお、図４に示すフローチャートおいて、判定手段１１１は、ステップＳ４で登録者ＩＤ及びパスワードが一致しないときには再度、登録者ＩＤ及びパスワードを送信を要求しているが（Ｓ４，Ｓ３）、再送信の要求をせずに終了したり、再送信に制限回数等を求めても良い。
【００４０】
次に、図５に示すフローチャートを用いて、図４の通話処理（Ｓ６）について説明する。抽出手段１１２は、判定手段１１１から、端末２１から通話のリクエストがあった通知を入力すると、音声データＤ３から通話先番号の特定を要求する音声データを読み出し、端末２１に送信する（Ｓ６１）。
【００４１】
ステップＳ６１で送信した音声データに対して、通話者リストデータＤ２に含まれるグループ番号が選択されたか否かを判定する（Ｓ６２）。
【００４２】
ステップＳ６２において、グループ番号が選択されないとき（Ｓ６２でＮＯ）、抽出手段１１２は、音声データＤ３から通話先の端末２２，２３の電話番号を入力させる音声データを読み出して端末２１に送信するとともに、端末２１から電話番号を受信すると、受信した電話番号を発信手段１１３に出力する（Ｓ６３）。
【００４３】
一方、ステップＳ６２において、グループ番号が選択されたとき（Ｓ６２でＹＥＳ）、抽出手段１１２は、通話者リストデータＤ２から、端末２１のユーザの登録者ＩＤ及びステップＳ６１で選択されたグループ番号に関連付けられる通話先番号を抽出し、抽出した通話先番号を発信手段１１３に出力する（Ｓ６４）。
【００４４】
その後、発信手段１１３は、ステップＳ６３又はＳ６４で入力した電話番号の端末２２，２３に発信する（Ｓ６５）。この発信に対して各端末２２，２３から応答があったとき、発信元の端末２１と発信先の端末２２，２３の通話が開始する（Ｓ６６）。
【００４５】
続いて、図６に示すフローチャートを用いて、図４の登録処理（Ｓ７）について説明する。登録手段１１４は、判定手段１１１から、端末２１から新たな通話先番号を登録するリクエストがあった通知を入力すると、音声データＤ３から登録する端末の電話番号を入力させる音声データを読み出して端末２１に送信する（Ｓ７１）。
【００４６】
続いて、端末２１から電話番号を受信すると、登録手段１１４は、端末２１のユーザの登録者ＩＤと、受信した電話番号を新たな通話先番号とし、この新たな通話先番号に、新たなグループ番号を付して通話者リストデータＤ２に追加する（Ｓ７２）。
【００４７】
その後、登録手段１１４は、音声データＤ３から新たに追加したグループの通話先番号に通話を要求するか否かを選択させる音声データを読み出して端末２１に送信するとともに、端末２１の選択結果を利用して、通話が要求されたか否かを判定する（Ｓ７３）。
【００４８】
ステップＳ７３において、端末２１から通話の要求が選択されると（Ｓ７３でＹＥＳ）、発信手段１１３にグループの番号が出力され、通話処理に移行する（Ｓ７４）。このＳ７４の通話処理は、図５に示した通話処理と類似するが、グループの選択等（Ｓ６１〜Ｓ６４）は不要であるため、発信手段１１３では、図５に示した発信と通話（Ｓ６５，Ｓ６６）のみ実行される。
【００４９】
一方、ステップＳ７３において受信した応答が通話の要求でないとき、登録手段１１４は、音声データＤ３から、再度、新たな通話先番号を登録するか否かを選択させる音声データを読み出して端末２１に送信するとともに、端末２１の選択結果を利用して、登録を継続するか否かを判定する（Ｓ７５）。
【００５０】
ステップＳ７５において受信した応答が通話先番号の登録の継続であるとき（Ｓ７５でＹＥＳ）、登録手段１１４は、ステップＳ７１に戻り、同一の処理を繰り返す（Ｓ７１〜Ｓ７５）。
【００５１】
一方、ステップＳ７５において受信した通話先番号の登録の継続でないとき（Ｓ７５でＮＯ）、登録手段１１４は、端末２１との通信を切断して登録処理を終了する。
【００５２】
上述したように、本発明の最良の実施形態に係る複数端末通話システム１では、複数通話を実現する際、複数通話提供装置１０を利用することで、通話元の端末から順番に通話先の各端末にアクセスする必要はなく、同時にアクセスすることが可能となる。したがって、複数端末通話システム１では、複数通話を容易に実現することができる。
【００５３】
なお、通話元となるユーザのみが複数端末通話システム１のサービスに登録しているユーザであれば良く、通話先のユーザは、電話番号を有する端末利用することができれば、当該複数端末通話システム１のサービスに登録している必要はない。
【符号の説明】
【００５４】
１…複数端末通話システム
１０…複数通話提供装置
１１…ＣＰＵ
１１１…判定手段
１１２…抽出手段
１１３…発信手段
１１４…登録手段
１２…記憶装置
１３…通信Ｉ／Ｆ
Ｄ１…登録ユーザデータ
Ｄ２…通話者リストデータ
Ｄ３…音声データ
２１〜２３…端末
３…ネットワーク
【図１】
2010283769.tif 000003
【図２】
2010283769.tif 000004
【図３】
2010283769.tif 000005
【図４】
2010283769.tif 000006
【図５】
2010283769.tif 000007
【図６】
2010283769.tif 000008